(57)【要約】端末機は順方向共通パイロットチャネルの複数のタイムスロットより選択されたタイムスロットで絶対値シンボルを伝送し、他のタイムスロットでは相対値シンボルを伝送する。前記絶対値シンボルは前記選択されたタイムスロットに対応するタイムスロットで測定された信号強さ値を表し、前記相対値シンボルは前記他のタイムスロットに対応するタイムスロットで測定された信号強さ値の、該当する以前のタイムスロットで測定された信号強さ値に対する変化を表す。前記絶対値シンボルは前記相対値シンボルに比べて２倍の伝送電力で伝送され、他の端末機から伝送される絶対値シンボルとの干渉を避けるように時間帯別に分散される。これによれば、順方向チャネルの品質情報を報告することから発生する逆方向リンク干渉を減らし、逆方向トラフィック容量を増加させることができる。
2004522387.tif 000002
【特許請求の範囲】
【請求項１】
移動端末機が基地局から受信される順方向チャネルの品質情報を測定し、前記測定された品質情報を前記基地局に報告する方法において、
複数のタイムスロットで前記順方向チャネルを通じて受信された信号の強さ値をそれぞれ測定する第１過程と、
前記複数のタイムスロットのうち少なくとも一つの選択されたタイムスロットで測定された信号強さ値を表す絶対値シンボルを、前記選択されたタイムスロットに対応する少なくとも一つのタイムスロットで伝送する第２過程と、
前記複数のタイムスロットのうち少なくとも一つの他のタイムスロットで測定された信号強さ値の、該当する以前のタイムスロットで測定された信号強さ値に対する相対値を表す相対値シンボルを、前記他のタイムスロットに対応する少なくとも一つのタイムスロットで伝送する第３過程と、を含むことを特徴とする方法。
【請求項２】
前記相対値シンボルは、前記絶対値シンボルより少ない伝送電力で伝送されることを特徴とする請求項１記載の方法。
【請求項３】
前記相対値シンボルは前記絶対値シンボルより少ないビット数を有することを特徴とする請求項１記載の方法。
【請求項４】
前記相対値シンボルは、前記他のタイムスロットで測定された信号強さ値を前記該当する以前のタイムスロットで測定された信号強さ値と比較した結果に基づいて増加または減少を表すことを特徴とする請求項１記載の方法。
【請求項５】
前記相対値シンボルは、前記他のタイムスロットで測定された信号強さ値を前記該当する以前のタイムスロットで測定された信号強さ値と比較した結果に基づいて増加、同一、または、減少を表すことを特徴とする請求項１記載の方法。
【請求項６】
前記選択されたタイムスロットは、他の端末機に対して選択されたタイムスロットと重複しないように時間帯別に分散されることを特徴とする請求項１記載の方法。
【請求項７】
前記選択されたタイムスロットは、下記の数式を満足するタイムスロットであることを特徴とする請求項１記載の方法。
（Ｔ−Ｎ−Ｘ） ＭＯＤ ＩＮＴ ＝ ０
ただし、上記式中の、Ｔはスロット単位のシステム時間であり、ＩＮＴは絶対値シンボルが伝送される区間であり、ＮはＩＮＴ内で絶対値シンボルが伝送される位置であり、Ｘは移動端末機に固有に割り当てられるパラメータである。
【請求項８】
前記絶対値シンボルは、連続する２個のタイムスロットにわたって伝送されることを特徴とする請求項１記載の方法。
【請求項９】
前記第３過程は、
あらかじめ定められた複数の信号強さレベルと所定ビットのシンボルをマッピングさせるマッピングテーブルより前記他のタイムスロットで測定された信号強さ値のレベルを検索する段階と、
前記該当する以前のタイムスロットで測定された信号強さ値のレベルを前記測定された信号強さ値のレベルと比較した結果を表す前記相対値シンボルを生成する段階と、
前記生成された相対値シンボルを符号化して伝送する段階と、を含むことを特徴とする請求項１記載の方法。
【請求項１０】
前記第３過程は、
前記他のタイムスロットで測定された信号強さ値を前記該当する以前のタイムスロットで測定された信号強さ値と比較した結果を表す前記相対値シンボルを生成する段階と、
前記生成された相対値シンボルを符号化する段階と、を含むことを特徴とする請求項１記載の方法。
【請求項１１】
前記符号化する段階は、前記生成された相対値シンボルを符号化し、相互間に最も大きい差を持つようにあらかじめ定められた符号化シーケンスのうち一つの符号化シーケンスを出力することを特徴とする請求項１０記載の方法。
【請求項１２】
前記符号化シーケンスはいずれも‘０’か、いずれも‘１’であることを特徴とする請求項１１記載の方法。
【請求項１３】
前記第２過程は、
あらかじめ定められた複数の信号強さレベルと所定ビットのシンボルをマッピングさせるマッピングテーブルを利用して前記測定された信号強さ値のレベルに対応する前記絶対値シンボルを生成する段階と、
前記生成された絶対値シンボルを符号化して伝送する段階と、を含むことを特徴とする請求項１記載の方法。
【請求項１４】
移動端末機が基地局から受信される順方向チャネルの品質情報を測定して前記測定された品質情報を前記基地局に報告する方法において、
複数のタイムスロットで前記順方向チャネルを通じて受信された信号の強さ値をそれぞれ測定する第１過程と、
前記複数のタイムスロットのうち少なくとも一つの選択されたタイムスロットで測定された信号強さ値を表す絶対値シンボルを、前記選択されたタイムスロットに対応する少なくとも一つのタイムスロットで伝送し、前記測定された信号強さ値を格納する第２過程と、
前記複数のタイムスロットのうち少なくとも一つの他のタイムスロットで測定された信号強さ値の、該当する以前のタイムスロットで格納された信号強さ値に対する相対値を表す相対値シンボルを、前記他のタイムスロットに対応する少なくとも一つのタイムスロットで伝送し、前記相対値シンボルの意味に応じて前記該当する以前のタイムスロットで格納された信号強さ値を更新して格納する第３過程と、を含むことを特徴とする方法。
【請求項１５】
前記相対値シンボルは、前記絶対値シンボルより少ない伝送電力で伝送されることを特徴とする請求項１４記載の方法。
【請求項１６】
前記相対値シンボルは、前記絶対値シンボルより少ないビット数を有することを特徴とする請求項１４記載の方法。
【請求項１７】
前記相対値シンボルは、前記他のタイムスロットで測定された信号強さ値が前記該当する以前のタイムスロットで格納された信号強さ値より増加したか、あるいは減少したかを表すことを特徴とする請求項１４記載の方法。
【請求項１８】
前記相対値シンボルは、前記他のタイムスロットで測定された信号強さ値が前記該当する以前のタイムスロットで格納された信号強さ値より増加したか、同一か、または減少したかを表すことを特徴とする請求項１４記載の方法。
【請求項１９】
前記選択されたタイムスロットは、他の端末機に対して選択されたタイムスロットと重複しないように時間帯別に分散されることを特徴とする請求項１４記載の方法。
【請求項２０】
前記選択されたタイムスロットは下記の数式を満足するタイムスロットであることを特徴とする請求項１４記載の方法。
（Ｔ−Ｎ−Ｘ） ＭＯＤ ＩＮＴ ＝ ０
ただし、上記式中の、Ｔはスロット単位のシステム時間であり、ＩＮＴは絶対値シンボルが伝送される区間であり、ＮはＩＮＴ内で絶対値シンボルが伝送される位置であり、Ｘは移動端末機に固有に割り当てられるパラメータである。
【請求項２１】
前記絶対値シンボルは連続する２個のタイムスロットにわたって伝送されることを特徴とする請求項１４記載の方法。
【請求項２２】
前記第３過程は、
前記他のタイムスロットで測定された信号強さ値を前記該当する以前のタイムスロットで格納された信号強さ値と比較した結果を表す前記相対値シンボルを生成する段階と、
前記生成された相対値シンボルを符号化する段階と、
前記相対値シンボルの意味に応じて前記該当する以前のタイムスロットで格納された信号強さ値をあらかじめ定められた所定単位ほど増加または減少させる段階と、を含むことを特徴とする請求項１４記載の方法。
【請求項２３】
前記所定単位は、前記基地局と移動端末機間にあらかじめ約束されることを特徴とする請求項２２記載の方法。
【請求項２４】
前記符号化する段階は、前記生成された相対値シンボルを符号化し、相互間に最も大きい差を持つようにあらかじめ定められた符号化シーケンスのうち一つの符号化シーケンスを出力することを特徴とする請求項２２記載の方法。
【請求項２５】
前記符号化シーケンスはいずれも‘０’か、いずれも‘１’であることを特徴とする請求項２４記載の方法。
【請求項２６】
前記第２過程は、
あらかじめ定められた複数の信号強さレベルと所定ビットのシンボルをマッピングさせるマッピングテーブルを利用して前記測定された信号強さ値のレベルに対応する前記絶対値シンボルを生成する段階と、
前記生成された絶対値シンボルを符号化して伝送する段階と、
前記絶対値シンボルに対応する信号強さ値を格納する段階と、を含むことを特徴とする請求項１４記載の方法。
【請求項２７】
基地局が移動端末機から報告される順方向チャネルの品質情報を受信する方法において、
複数のタイムスロットのうち少なくとも一つの選択されたタイムスロットで絶対値シンボルを受信する第１過程と、
前記絶対値シンボルにより前記選択されたタイムスロットの信号強さ値を計算する第２過程と、
前記複数のタイムスロットのうち少なくとも一つの他のタイムスロットで相対値シンボルを受信する第３過程と、
該当する以前のタイムスロットで計算された信号強さ値を前記相対値シンボルの意味に応じて更新して前記他のタイムスロットの信号強さ値を計算する第４過程と、を含むことを特徴とする方法。
【請求項２８】
前記選択されたタイムスロットは、下記の数式を満足するタイムスロットであることを特徴とする請求項２６記載の方法。
（Ｔ−Ｎ−Ｘ） ＭＯＤ ＩＮＴ ＝ ０
ただし、上記式中の、Ｔはスロット単位のシステム時間であり、ＩＮＴは絶対値シンボルが伝送される区間であり、ＮはＩＮＴ内で絶対値シンボルが伝送される位置であり、Ｘは移動端末機に固有に割り当てられるパラメータである。
【請求項２９】
前記第２過程は、あらかじめ定められた複数の信号強さレベルと所定ビットのシンボルをマッピングさせるマッピングテーブルより、前記絶対値シンボルに対応する信号強さレベルを検索する段階を含むことを特徴とする請求項２７記載の方法。
【請求項３０】
前記第４過程は、
あらかじめ定められた複数の信号強さレベルと所定ビットのシンボルをマッピングさせるマッピングテーブルを参考して、該当する以前のタイムスロットで計算された信号強さ値を前記相対値シンボルの意味に応じて１レベル単位ほど増加させるか、または、減少させる段階を含むことを特徴とする請求項２７記載の方法。
【請求項３１】
前記第４過程は、
該当する以前のタイムスロットで計算された信号強さ値を前記相対値シンボルの意味に応じてあらかじめ定められた所定単位ほど増加させるか、または、減少させる段階を含むことを特徴とする請求項２７記載の方法。
【請求項３２】
前記所定単位は、前記移動端末機と基地局間にあらかじめ約束されることを特徴とする請求項３１記載の方法。
【請求項３３】
移動端末機が基地局から受信される順方向チャネルの品質情報を測定して前記測定された品質情報を前記基地局に報告する装置において、
複数のタイムスロットのうち少なくとも一つの選択されたタイムスロットで、前記選択されたタイムスロットで測定された信号強さ値を表す絶対値シンボルを生成し、前記複数のタイムスロットのうち少なくとも一つの他のタイムスロットで、前記他のタイムスロットで測定された信号強さ値の、該当する以前のタイムスロットで測定された信号強さ値に対する変化を表す相対値シンボルを生成するシンボル生成器と、
前記絶対値シンボルおよび前記相対値シンボルを符号化する符号化部と、を含むことを特徴とする装置。
【請求項３４】
前記符号化された相対値シンボルを、前記符号化された絶対値シンボルより少ない伝送電力で伝送する送信器をさらに含むことを特徴とする請求項３３記載の装置。
【請求項３５】
前記選択されたタイムスロットは、他の端末機に対して選択されたタイムスロットと重複しないように時間帯別に分散されることを特徴とする請求項３３記載の装置。
【請求項３６】
前記選択されたタイムスロットは、下記の数式を満足するタイムスロットであることを特徴とする請求項３３記載の装置。
（Ｔ−Ｎ−Ｘ） ＭＯＤ ＩＮＴ ＝ ０
ただし、上記式中の、Ｔはスロット単位のシステム時間であり、ＩＮＴは絶対値シンボルが伝送される区間であり、ＮはＩＮＴ内で絶対値シンボルが伝送される位置であり、Ｘは移動端末機に固有に割り当てられるパラメータである。
【請求項３７】
前記絶対値シンボルは連続する２個のタイムスロットにわたって伝送されることを特徴とする請求項３３記載の装置。
【請求項３８】
前記シンボル生成器は、
あらかじめ定められた複数の信号強さレベルと所定ビットのシンボルをマッピングさせるマッピングテーブルより、前記他のタイムスロットで測定された信号強さ値のレベルを検索し、前記該当する以前のタイムスロットで測定された信号強さ値のレベルを前記測定された信号強さ値のレベルと比較した結果を表す前記相対値シンボルを生成することを特徴とする請求項３３記載の装置。
【請求項３９】
前記シンボル生成器は、
前記他のタイムスロットで測定された信号強さ値を前記該当する以前のタイムスロットで測定された信号強さ値と比較した結果を表す前記相対値シンボルを生成することを特徴とする請求項３３記載の装置。
【請求項４０】
前記相対値シンボルは、前記他のタイムスロットで測定された信号強さ値を前記該当する以前のタイムスロットで測定された信号強さ値と比較した結果に基づいて増加または減少を表すことを特徴とする請求項３３記載の装置。
【請求項４１】
前記相対値シンボルは、前記他のタイムスロットで測定された信号強さ値が前記該当する以前のタイムスロットで格納された信号強さ値より増加したか、同一か、または、減少したかを表すことを特徴とする請求項３３記載の装置。
【請求項４２】
前記シンボル生成器は、
あらかじめ定められた複数の信号強さレベルと所定ビットのシンボルをマッピングさせるマッピングテーブルを利用して前記測定された信号強さ値のレベルに対応する前記絶対値シンボルを生成することを特徴とする請求項３３記載の装置。
【請求項４３】
前記シンボル生成器は、
前記選択されたタイムスロットで測定された信号強さ値を表す絶対値シンボルを生成し、前記測定された信号強さ値を格納する第１装置と、
前記他のタイムスロットで測定された信号強さ値の、該当する以前のタイムスロットで格納された信号強さに対する相対値を表す相対値シンボルを生成し、前記相対値シンボルの意味に応じて前記該当する以前のタイムスロットで格納された信号強さ値を更新して格納する第２装置と、を含むことを特徴とする請求項３３記載の装置。
【請求項４４】
前記第１装置は、
あらかじめ定められた複数の信号強さレベルと所定ビットのシンボルをマッピングさせるマッピングテーブルを利用して前記測定された信号強さ値のレベルに対応する前記絶対値シンボルを生成し、前記絶対値シンボルに対応する信号強さ値を格納することを特徴とする請求項４３記載の装置。
【請求項４５】
前記第２装置は、
前記他のタイムスロットで測定された信号強さ値を前記該当する以前のタイムスロットで格納された信号強さ値と比較した結果を表す前記相対値シンボルを生成し、前記相対値シンボルの意味に応じて前記該当する以前のタイムスロットで格納された信号強さ値をあらかじめ定められた所定単位ほど増加または減少させることを特徴とする請求項４３記載の装置。
【請求項４６】
前記符号化部は、
前記絶対値シンボルおよび前記相対値シンボルを同一の符号化率により符号化する符号化器から構成されることを特徴とする請求項３３記載の装置。
【請求項４７】
前記符号化器は、
前記相対値シンボルを符号化し、相互間に最も大きい差を持つようにあらかじめ定められた符号化シーケンスのうち一つの符号化シーケンスを出力することを特徴とする請求項４６記載の装置。
【請求項４８】
前記符号化シーケンスは、いずれも‘０’か、いずれも‘１’であることを特徴とする請求項４７記載の方法。
【請求項４９】
前記符号化部は、
前記絶対値シンボルを、前記絶対値シンボルのビット数による第１符号化率で符号化する第１符号化器と、
前記相対値シンボルを、前記相対値シンボルのビット数による第２符号化率で符号化する第２符号化器と、から構成されることを特徴とする請求項３３記載の装置。
【請求項５０】
前記相対値シンボルは、前記絶対値シンボルより少ないビット数を有することを特徴とする請求項４９記載の装置。
【請求項５１】
基地局が移動端末機から報告される順方向チャネルの品質情報を受信する装置において、
複数のタイムスロットのうち少なくとも一つの選択されたタイムスロットで絶対値シンボルを受信し、前記複数のタイムスロットのうち少なくとも一つの他のタイムスロットで相対値シンボルを受信する受信器と、
前記絶対値シンボルにより前記選択されたタイムスロットの信号強さ値を計算し、該当する以前のタイムスロットで計算された信号強さ値を前記相対値シンボルの意味に応じて更新して前記他のタイムスロットの信号強さ値を計算するシンボル計算器と、を含むことを特徴とする装置。
【請求項５２】
前記選択されたタイムスロットは、下記の数式を満足するタイムスロットであることを特徴とする請求項５１記載の装置。
（Ｔ−Ｎ−Ｘ） ＭＯＤ ＩＮＴ ＝ ０
ただし、上記式中の、Ｔはスロット単位のシステム時間であり、ＩＮＴは絶対値シンボルが伝送される区間であり、ＮはＩＮＴ内で絶対値シンボルが伝送される位置であり、Ｘは移動端末機に固有に割り当てられるパラメータである。
【請求項５３】
前記シンボル計算器は、
あらかじめ定められた複数の信号強さレベルと所定ビットのシンボルをマッピングさせるマッピングテーブルより、前記絶対値シンボルに対応する信号強さレベルを検索することを特徴とする請求項５１記載の装置。
【請求項５４】
前記シンボル計算器は、
あらかじめ定められた複数の信号強さレベルと所定ビットのシンボルをマッピングさせるマッピングテーブルを参考して、該当する以前のタイムスロットで計算された信号強さ値を前記相対値シンボルの意味に応じて１レベル単位ほど増加させるか、または、減少させることを特徴とする請求項５１記載の装置。
【請求項５５】
前記シンボル計算器は、
該当する以前のタイムスロットで計算された信号強さ値を前記相対値シンボルの意味に応じてあらかじめ定められた所定単位ほど増加させるか、または減少させることを特徴とする請求項５１記載の装置。
【請求項５６】
前記所定単位は、前記移動端末機と基地局間にあらかじめ約束されることを特徴とする請求項５５記載の装置。
【発明の詳細な説明】
【０００１】
【発明の属する技術分野】
本発明は、音声およびデータサービスを含むマルチメディアサービスを支援する移動通信システムに係り、特に、順方向チャネルのデータの伝送率を指示する情報を端末機と基地局との間で送受信する方法および装置に関する。
【０００２】
【従来の技術】
典型的なデジタル移動通信システム、特に、同期式ＣＤＭＡ（Ｃｏｄｅ Ｄｉｖｉｓｉｏｎ Ｍｕｌｔｉｐｌｅ Ａｃｃｅｓｓ）（ＩＳ−２０００）および非同期式ＵＭＴＳ（Ｕｎｉｖｅｒｓａｌ Ｍｏｂｉｌｅ Ｔｅｌｅｃｏｍｍｕｎｉｃａｔｉｏｎ Ｓｅｒｖｉｃｅ）（Ｗ（Ｗｉｄｅ）−ＣＤＭＡ）のようなＣＤＭＡ方式の移動通信システムは、音声サービス、回線データ（Ｃｉｒｃｕｉｔ Ｄａｔａ）、および低速の（例えば、１４．４ｋｂｐｓ以下）パケットデータを統合的に支援する。しかし、インターネット接続など高速パケットデータ伝送を必要とするサービスに対する使用者の要求が増大するに伴い、移動通信システムも、高速のパケットデータサービスを支援する形に発展していきつつある。ＣＤＭＡ２０００ １×ＥＶＤＯ（Ｅｖｏｌｕｔｉｏｎ Ｄａｔａ Ｏｎｌｙ）のような移動通信システムは、音声サービスの資源をデータサービスに割り当てることによって２Ｍｂｐｓ以上の高速パケットデータサービスを支援する。しかし、このようなＩＳ−２０００ １×ＥＶＤＯシステムは、音声サービスとデータサービスを同時支援しないという短所がある。
【０００３】
そこで、既存の音声サービスを支援すると同時に高速のパケットデータサービスも支援できる移動通信システムの具現への要求に応じて１×ＥＶ−ＤＶ（Ｅｖｏｌｕｔｉｏｎ Ｄａｔａ ａｎｄ Ｖｏｉｃｅ）と呼ばれるシステムが提案された。１×ＥＶ−ＤＶ移動通信システムにおいて、基地局は順方向チャネルの品質に基づいて、パケットデータの伝送をスケジューリングし、伝送パラメータ（ｔｒａｎｓｍｉｓｓｉｏｎ ｐａｒａｍｅｔｅｒ）を決定することによって高速パケットデータサービスを実現する。すなわち、基地局は通信している複数の端末機のうち各スロットごとに最も良好な順方向チャネル品質を持つ一つの端末機を選択してパケットデータを伝送し、前記選択された端末機の順方向チャネル品質に基づいて伝送パラメータ（例えば、伝送速度（Ｄａｔａ Ｒａｔｅ）、符号化率（Ｃｏｄｅ Ｒａｔｅ）、変調方式（Ｍｏｄｕｌａｔｉｏｎ Ｏｒｄｅｒ）など）を決定する。
【０００４】
この時、順方向チャネルの品質を判断する上で必須となるのが、端末機から順方向共通パイロットチャネル（Ｃｏｍｍｏｎ Ｐｉｌｏｔ Ｃｈａｎｎｅｌ：ＣＰＩＣＨ）に対して測定した受信搬送波対干渉比（Ｃａｒｒｉｅｒ−ｔｏ−Ｉｎｔｅｒｆｅｒｅｎｃｅ Ｒａｔｉｏ：以下、“Ｃ／Ｉ”と称する）である。端末機が測定した搬送波対干渉比は、チャネル品質指示チャネル（Ｃｈａｎｎｅｌ Ｑｕａｌｉｔｙ Ｉｎｄｉｃａｔｏｒ Ｃｈａｎｎｅｌ：以下、“ＣＱＩＣＨ”と称する）を通じて基地局に報告される。基地局は、複数の端末機からチャネル品質指示チャネルを通じて受信した搬送波対干渉比に基づき、パケットデータチャネル（Ｐａｃｋｅｔ Ｄａｔａ Ｃｈａｎｎｅｌ：以下、“ＰＤＣＨ”と称する）を通じたパケットデータの伝送をスケジューリングし伝送パラメータを決定する。
【０００５】
図１は、従来技術によって端末機が測定した順方向チャネルの品質情報を基地局に送信する送信器構造である。前記図１を参照すれば、１．２５ｍｓタイムスロットごとに現在通信している基地局（セクター型基地局の場合はセクター）の順方向共通パイロットチャネルに対して測定された品質情報、つまり、受信搬送波対干渉比（Ｃ／Ｉ）は量子化された後、対応する５ビット２進形態のＣＱＩ（Ｃｈａｎｎｅｌ Ｑｕａｌｉｔｙ Ｉｎｄｉｃａｔｏｒ）シンボルに変換される。符号化器（Ｅｎｃｏｄｅｒ）１１０は、前記ＣＱＩシンボルを５／１２の符号化率（Ｒ＝５／１２）により符号化して１２ビットの符号化シーケンス（Ｃｏｄｅ Ｓｅｑｕｅｎｃｅ）を出力する。また、ウォルシュカバーコード発生器（Ｗａｌｓｈ Ｃｏｖｅｒ Ｃｏｄｅ Ｇｅｎｅｒａｔｏｒ）１２０は、前記端末機が感知できる基地局のうち、最も良好な順方向チャネル品質を持つ基地局を指示する最適セクター指示子（Ｂｅｓｔ Ｓｅｃｔｏｒ Ｉｎｄｉｃａｔｏｒ：ＢＳＩ）により長さ８のウォルシュカバーコードＷｉ８（ｉ＝０，．．．，７）を発生する。
【０００６】
ウォルシュカバー（Ｗａｌｓｈ Ｃｏｖｅｒ）１３０は、前記符号化シーケンスに前記ウォルシュカバーコード Ｗｉ８を乗算することによってウォルシュカバーリングされた９６ビットシンボルを出力する。前記９６ビットシンボルは信号点変換器（Ｓｉｇｎａｌ Ｐｏｉｎｔ Ｍａｐｐｅｒ）１４０により＋１、−１形態のシンボルにマッピングされた後、チャネル品質指示チャネルに対して割り当てられたウォルシュコードＷ１２１６にてウォルシュ拡散器（Ｗａｌｓｈ Ｓｐｒｅａｄｅｒ）１５０により拡散される。前記ウォルシュ拡散器１５０の出力は基地局に伝送される。
【０００７】
図２は従来技術によって順方向チャネルの品質情報を送受信する基地局と端末機の動作を時間的に示す図である。前記図２において、端末機はチャネル品質指示チャネル（ＣＱＩＣＨ）の毎スロットを通じて順方向共通パイロットチャネルで測定した搬送波対干渉比値を表すＣＱＩシンボルを伝送する。基地局は所定の伝送遅延（Ｐｒｏｐａｇａｔｉｏｎ Ｄｅｌａｙ）の後にチャネル品質指示チャネルを通じて前記ＣＱＩシンボルを受信し、前記受信されたＣＱＩシンボルはパケットデータチャネルのスケジューリングおよび伝送パラメータの決定に適用される。ここで、前記伝送遅延とは、前記ＣＱＩシンボルが無線環境（ａｉｒ）を通過するのに必要な時間のことをいう。図２に示すように、チャネル品質指示チャネルのスロットｎで受信されたＣＱＩシンボルは、所定の処理遅延（Ｐｒｏｃｅｓｓｉｎｇ Ｄｅｌａｙ）の後にパケットデータチャネルのスロットｎ＋１に適用されることがわかる。ここで、前記処理遅延とは、前記受信されたＣＱＩシンボルを利用して搬送波対干渉比を計算し、スケジューリングおよび伝送パラメータの決定を行うのに必要な時間のことをいう。
【０００８】
上記のように動作する従来技術では、一つの基地局と通信している複数の端末機が各スロットごとにＣＱＩシンボルを伝送するため、前記基地局の逆方向トラフィック容量が相当減少してしまう。しかも、複数の端末機から伝送するチャネル品質指示チャネルの信号が互いに干渉を起こし、結果としてシステムの全体的な干渉が増加してしまうという問題点があった。
【０００９】
【発明が解決しようとする課題】
したがって、本発明の一つの目的は、音声およびパケットデータサービスのための移動通信システムにおいて逆方向チャネルのオーバーヘッドを最小化しながら順方向チャネルの品質情報を伝送する方法および装置を提供することにある。
【００１０】
本発明の他の目的は、音声およびパケットデータサービスのための移動通信システムにおいて逆方向チャネルの伝送電力を最小化しながら順方向チャネルの品質情報を伝送する方法および装置を提供することにある。
【００１１】
本発明のさらに他の目的は、音声およびパケットデータサービスのための移動通信システムにおいて逆方向チャネルの相互干渉を最小化しながら順方向チャネルの品質情報を伝送する方法および装置を提供することにある。
【００１２】
本発明のさらに他の目的は、音声およびパケットデータサービスのための移動通信システムにおいて順方向チャネルの品質情報を絶対値（Ａｂｓｏｌｕｔｅ ｖａｌｕｅ）と相対値（Ｒｅｌａｔｉｖｅ ｖａｌｕｅ）に区分して伝送する方法および装置を提供することにある。
【００１３】
本発明のさらに他の目的は、音声およびパケットデータサービスのための移動通信システムにおいてパケットデータの伝送をスケジューリングし、伝送パラメータを決定するために順方向チャネルの品質情報を受信する方法および装置を提供することにある。
【００１４】
【課題を解決するための手段】
上記の目的を達成するために、本発明の好ましい実施例に係る方法は、移動端末機が基地局から受信される順方向チャネルの品質情報を測定して前記測定された品質情報を前記基地局に報告する方法において、複数のタイムスロットで前記順方向チャネルを通じて受信された信号の強さ値をそれぞれ測定する第１過程と、前記複数のタイムスロットのうち少なくとも一つの選択されたタイムスロットで測定された信号強さ値を表す絶対値シンボルを、前記選択されたタイムスロットに対応する少なくとも一つのタイムスロットで伝送する第２過程と、前記複数のタイムスロットのうち少なくとも一つの他のタイムスロットで測定された信号強さ値の、該当する以前のタイムスロットで測定された信号強さ値に対する相対値を表す相対値シンボルを、前記他のタイムスロットに対応する少なくとも一つのタイムスロットで伝送する第３過程と、を含む。
【００１５】
本発明の他の実施例は、移動端末機が基地局から受信される順方向チャネルの品質情報を測定し、前記測定された品質情報を前記基地局に報告する方法において、複数のタイムスロットで前記順方向チャネルを通じて受信された信号の強さ値をそれぞれ測定する第１過程と、前記複数のタイムスロットのうち少なくとも一つの選択されたタイムスロットで測定された信号強さ値を表す絶対値シンボルを、前記選択されたタイムスロットに対応する少なくとも一つのタイムスロットで伝送し、前記測定された信号強さ値を格納する第２過程と、前記複数のタイムスロットのうち少なくとも一つの他のタイムスロットで測定された信号強さ値の、該当する以前のタイムスロットで格納された信号強さ値に対する相対値を表す相対値シンボルを、前記他のタイムスロットに対応する少なくとも一つのタイムスロットで伝送し、前記相対値シンボルの意味に応じて前記該当する以前のタイムスロットで格納された信号強さ値を更新して格納する第３過程と、を含む。
【００１６】
本発明のさらに他の実施例は、基地局が移動端末機から報告される順方向チャネルの品質情報を受信する方法において、複数のタイムスロットのうち少なくとも一つの選択されたタイムスロットで絶対値シンボルを受信する第１過程と、前記絶対値シンボルにより前記選択されたタイムスロットの信号強さ値を計算する第２過程と、前記複数のタイムスロットのうち少なくとも一つの他のタイムスロットで相対値シンボルを受信する第３過程と、該当する以前のタイムスロットで計算された信号強さ値を前記相対値シンボルの意味に応じて更新して前記他のタイムスロットの信号強さ値を計算する第４過程と、を含む。
【００１７】
本発明のさらに他の実施例は、移動端末機が基地局から受信される順方向チャネルの品質情報を測定し、前記測定された品質情報を前記基地局に報告する装置において、前記複数のタイムスロットのうち少なくとも一つの選択されたタイムスロットで絶対値シンボル（この絶対値シンボルは、前記選択されたタイムスロットで測定された信号強さ値を表す）を生成し、前記複数のタイムスロットのうち少なくとも一つの他のタイムスロットで相対値シンボル（この相対値シンボルは、前記他のタイムスロットで測定された信号強さ値の、該当する以前のタイムスロットで測定された信号強さ値に対する変化を表す）を生成するシンボル生成器と、前記絶対値シンボルおよび前記相対値シンボルを符号化する符号化部と、を含む。
【００１８】
本発明のさらに他の実施例は、基地局が移動端末機から報告される順方向チャネルの品質情報を受信する装置において、複数のタイムスロットのうち少なくとも一つの選択されたタイムスロットで受信された絶対値シンボルを受信し、前記複数のタイムスロットのうち少なくとも一つの他のタイムスロットで相対値シンボルを受信する受信器と、前記絶対値シンボルにより前記選択されたタイムスロットの信号強さ値を計算し、該当する以前のタイムスロットで計算された信号強さ値を前記相対値シンボルの意味に応じて更新して前記他のタイムスロットの信号強さ値を計算するシンボル計算器と、を含む。
【００１９】
【発明の実施の形態】
以下、本発明の好ましい実施例を添付図面を参照しつつ詳細に説明する。図面中、同一の参照番号および構成要素には可能なかぎり同一の参照番号および符号を共通使用する。尚、周知技術については適宜説明を省略するものとする。
【００２０】
後述する本発明は、端末機から順方向チャネルに対して測定した信号強さを基地局にに伝送するにあたり、あらかじめ定められたタイムスロットでは現在のタイムスロットで測定された信号強さの絶対値を伝送し、他のタイムスロットでは以前のタイムスロットで測定された信号強さに対する相対値を伝送する。この相対値は、順方向チャネルの信号強さを含む代わりに、現在のタイムスロットの信号強さが単に以前のタイムスロットの信号強さと比べ、増加したか、同一か、それとも減少したかに対する情報だけを表すので、絶対値に比べてより少ない情報量と電力だけで伝送可能である。
【００２１】
下記の本発明に係る具体的な動作説明は、同期式符号分割多重接続（Ｃｏｄｅ Ｄｉｖｉｓｉｏｎ Ｍｕｌｔｉｐｌｅ Ａｃｃｅｓｓ：ＣＤＭＡ）通信方式であるＩＳ−２０００ １×ＥＶ−ＤＶ（Ｅｖｏｌｕｔｉｏｎ ｉｎ ｄａｔａ ａｎｄ ｖｏｉｃｅ）システムの下でなされたものである。しかし、本発明の基本目的である順方向チャネルの品質情報伝送技術は、本発明の範囲を大きく外れない限度内で様々に変形されて類似な技術的背景およびチャネル形態を持つ他の移動通信システムにも適用できることは、当分野で通常の知識を持つ者にとって自明である。
【００２２】
図３は、本発明の一実施例によって端末機が測定した順方向チャネルの品質情報を基地局に送信する送信器構造である。ここで、端末機は順方向共通パイロットチャネル（Ｆｏｒｗａｒｄ Ｃｏｍｍｏｎ Ｐｉｌｏｔ Ｃｈａｎｎｅｌ）の特定スロットで測定された品質情報をチャネル品質指示チャネル（Ｃｈａｎｎｅｌ Ｑｕａｌｉｔｙ Ｉｎｄｉｃａｔｏｒ Ｃｈａｎｎｅｌ）の対応するスロットで基地局へ送信する。
【００２３】
前記図３を参照すれば、１．２５ｍｓのタイムスロットごとに現在通信している基地局（セクター型基地局の場合はセクター）から伝送される順方向共通パイロットチャネルより測定された品質情報、すなわち、受信搬送波対干渉比（Ｃａｒｒｉｅｒ ｔｏ Ｉｎｔｅｒｆｅｒｅｎｃｅ ｒａｔｉｏ：以下、“Ｃ／Ｉ”と称する。）はＣＱＩ（Ｃｈａｎｎｅｌ Ｑｕａｌｉｔｙ Ｉｎｄｉｃａｔｏｒ）シンボル生成器２１０に提供される。前記ＣＱＩシンボル生成器２１０は、前記測定された搬送波対干渉比を絶対値を表すＣＱＩシンボル（以下、“絶対値シンボル”と称する）または相対値（つまり、増加、同一、減少）を表すＣＱＩシンボル（以下、“相対値シンボル”と称する）に変換する。ここで、前記ＣＱＩシンボル生成器２１０は、呼設定時に基地局との間に約束された規則に基づいて、定められたスロットでは絶対値シンボルを生成し、他のスロットでは相対値シンボルを生成する。この時、前記ＣＱＩシンボル生成器２１０は、前記測定された搬送波対干渉比のレベルに対応する絶対値シンボルを生成する。図４に順方向共通パイロットチャネルに対して測定された搬送波対干渉比のレベルとそれにマッピングされる絶対値シンボルを格納するマッピングテーブルの例を示す。
【００２４】
前記図４のマッピングテーブルによれば、絶対値シンボルは現在のスロットの搬送波対干渉比を１．４ｄＢないし１．５ｄＢ単位（ｓｃａｌｅ）を持つ１６個のレベルで表す。前記図４ではＣＱＩシンボルの最上位ビットａ４が用意されるが、５ビットのＣＱＩシンボルは搬送波対干渉比を最大２５個のレベルで表すことができる。相対値シンボルは、前記図４を基準として以前のスロットの搬送波対干渉比に対する現在のスロットの搬送波対干渉比の相対的な変化（増加、同一、または減少）を表す。
【００２５】
したがって、前記ＣＱＩシンボル生成器２１０は、前記図４のようなマッピングテーブルを格納しておき、各スロットごとに測定された搬送波対干渉比に対応する絶対値シンボルを前記テーブルから検索して出力する。また、前記ＣＱＩシンボル生成器２１０は各スロットごとに測定された搬送波対干渉比を格納し、現在のスロットで測定された搬送波対干渉比を既に格納された搬送波対干渉比と比較してその変化を表す相対値シンボルを生成する。
【００２６】
符号化器（Ｅｎｃｏｄｅｒ）２２０は、前記ＣＱＩシンボルを該当する符号化率により符号化して１２ビットの符号化シーケンス（Ｃｏｄｅ Ｓｅｑｕｅｎｃｅ）を出力する。また、ウォルシュカバーコード発生器（Ｗａｌｓｈ Ｃｏｖｅｒ Ｃｏｄｅ Ｇｅｎｅｒａｔｏｒ）２３０は、前記端末機が感知できる基地局のうち、最も良好な順方向チャネル品質を持つ基地局を指示する最適セクター指示子（Ｂｅｓｔ Ｓｅｃｔｏｒ Ｉｎｄｉｃａｔｏｒ：ＢＳＩ）により長さ８のウォルシュカバーコードＷｉ８（ｉ＝０，．．．，７）を発生する。
【００２７】
ウォルシュカバー２４０は、前記符号化シーケンスに前記ウォルシュカバーコードＷｉ８を乗算することによってウォルシュカバーリングされた９６ビットシンボルを出力する。前記ウォルシュカバー２４０から出力された９６ビットシンボルは、信号点変換器（Ｓｉｇｎａｌ Ｍａｐｐｅｒ）２５０にて＋１、−１形態のシンボルにマッピングされた後、チャネル品質指示チャネルに対して割り当てられたウォルシュコードＷ１２１６によりウォルシュ拡散器（Ｗａｌｓｈ Ｓｐｒｅａｄｅｒ）２６０にて拡散される。前記ウォルシュ拡散器２６０の出力は電力増幅器（図示せず）にて適宜な伝送電力（ｔｒａｎｓｍｉｓｓｉｏｎ ｐｏｗｅｒ）を持つように増幅された後、前記基地局に伝送される。
【００２８】
このように構成される送信器において絶対値シンボルは、順方向共通パイロットチャネルの搬送波対干渉比を絶対単位で表すため、相対値シンボルに比べてより多くの情報量を必要とする。つまり、絶対値シンボルは相対値シンボルに比べてより高い（例えば、２倍）伝送電力で伝送されることが好ましい。これにより、絶対値シンボルを信頼度高く伝送しながら、相対値シンボルを伝送する区間では端末機の伝送電力を節減することができる。
【００２９】
図５は、本発明の一実施例によって端末機が送信した順方向チャネルの品質情報を基地局で受信する受信器構造である。ここで、基地局はチャネル品質指示チャネルの特定スロットで受信された品質情報をパケットデータチャネル（Ｐａｃｋｅｔ Ｄａｔａ Ｃｈａｎｎｅｌ）の対応するスロットに適用する。
【００３０】
前記図５を参照すれば、各タイムスロットごとに端末機から受信された信号は、チャネル品質指示チャネルに対して割り当てられたウォルシュコードＷ１２１６によりウォルシュ逆拡散器（Ｗａｌｓｈ Ｄｅｓｐｒｅａｄｅｒ）３１０にてウォルシュ逆拡散（Ｗａｌｓｈ ｄｅｓｐｒｅａｄｉｎｇ）された後、チャネル補償器（Ｃｈａｎｎｅｌ Ｃｏｍｐｅｎｓａｔｏｒ）３２０にてチャネル補償される。ウォルシュデカバー（Ｗａｌｓｈ Ｄｅｃｏｖｅｒ）３３０は、前記チャネル補償された信号をウォルシュデカバーリングして最適セクター指示子（Ｂｅｓｔ Ｓｅｃｔｏｒ Ｉｎｄｉｃａｔｏｒ：ＢＳＩ）を復元する。また、符号器（Ｄｅｃｏｄｅｒ）３４０は、前記チャネル補償された信号を該当する符号化率で復号してＣＱＩシンボルを復元する。ＣＱＩシンボル計算器３５０は前記復元されたＣＱＩシンボルを利用して順方向チャネルの搬送波対干渉比を計算する。
【００３１】
前記搬送波対干渉比を計算する動作を詳細に説明すると、下記の通りとなる。
【００３２】
前記ＣＱＩシンボル計算器３５０は、前記符号器３４０からＣＱＩシンボルが出力される度に前記ＣＱＩシンボルが絶対値シンボルか、または相対値シンボルか判断する。この時、呼設定のさい端末機と基地局間に約束された規則に基づいて、定められたスロットではＣＱＩシンボルを絶対値シンボルと判断し、他のスロットでは相対値シンボルと判断する。仮に、絶対値シンボルなら前記絶対値シンボルを利用して順方向共通パイロットチャネルの搬送波対干渉比を計算する。このため、前記ＣＱＩシンボル計算器３５０は前記図４のようなマッピングテーブルを格納しておき、前記絶対値シンボルに対応する搬送波対干渉比を前記マッピングテーブルより検索して出力する。一方、相対値シンボルなら前記相対値シンボルと以前のスロットで計算されて格納された搬送波対干渉比を利用して現在のスロットの搬送波対干渉比を計算する。
【００３３】
図６は、本発明の一実施例によって絶対値シンボルの伝送区間（ｉｎｔｅｒｖａｌ）が４スロットである場合、順方向チャネルの品質情報を送受信する基地局と端末機の動作を時間的に示す図である。
【００３４】
前記図６において端末機は、チャネル品質指示チャネル（ＣＱＩＣＨ）の各スロットを通じて順方向共通パイロットチャネルから測定した搬送波対干渉比値を表すＣＱＩシンボルを伝送する。基地局は、所定の伝送遅延（Ｐｒｏｐａｇａｔｉｏｎ Ｄｅｌａｙ）の後にチャネル品質指示チャネルを通じて前記ＣＱＩシンボルを受信し、前記受信されたＣＱＩシンボルは所定の処理遅延（Ｐｒｏｃｅｓｓｉｎｇ Ｄｅｌａｙ）の後にパケットデータチャネルのスケジューリング（Ｓｃｈｅｄｕｌｉｎｇ）および伝送パラメータ（ｔｒａｎｓｍｉｓｓｉｏｎ ｐａｒａｍｅｔｅｒ）の決定に適用される。ここで、前記伝送遅延とは、前記ＣＱＩシンボルが無線環境（ａｉｒ）を通過するのにかかる時間のことをいい、前記処理遅延とは、前記受信されたＣＱＩシンボルを利用して搬送波対干渉比を計算しスケジューリングおよび伝送パラメータの決定を行うのに必要な時間のことをいう。
【００３５】
具体的に説明すれば、端末機はチャネル品質指示チャネルのｎ番目のスロットで絶対値シンボルを伝送し、ｎ＋１番目のスロット、ｎ＋２番目のスロット、ｎ＋３番目のスロットでそれぞれ相対値シンボルを伝送する。前記絶対値シンボルは、前記相対値シンボルに比べ２倍の伝送電力で伝送される。基地局はｎ番目のスロットで受信した絶対値シンボルを利用して順方向共通パイロットチャネルの搬送波対干渉比を計算し、これを利用してパケットデータチャネルのｎ＋１番目のスロットを割り当てる端末機および前記端末機にパケットデータを伝送する上で使用される伝送パラメータ（例えば、伝送速度、符号化率、変調方式など）を決定する。前記計算されたｎ番目のスロットの搬送波対干渉比は、ｎ＋１番目のスロットで受信した相対値シンボルにより更新され、前記更新された搬送波対干渉比はパケットデータチャネルのｎ＋２番目のスロットに適用される。
【００３６】
例えば、前記図４のマッピングテーブルにおいて、ｎ番目のスロットの絶対値シンボルが‘００１００’であれば、基地局はｎ番目のスロットで順方向共通ハイロットチャネルの搬送波対干渉比が−１０．２ｄＢであると判断する。そして、ｎ＋１番目のスロットの相対値シンボルが増加を意味する内容（ｃｏｎｔｅｎｔｓ）を有する場合、基地局はｎ＋１番目のスロットで順方向共通パイロットチャネルの搬送波対干渉比が−８．８ｄＢであると判断する。
【００３７】
チャネル品質指示チャネルで絶対値シンボルを伝送するスロットを決定する方法には様々なものがあり得る。その一つは、端末機別に固有に割り当てられる逆方向フレームオフセット（Ｒｅｖｅｒｓｅ Ｆｒａｍｅ Ｏｆｆｓｅｔ：以下、“ＲＦＯ”と称する）値を利用する方法である。逆方向フレームオフセットを利用して絶対値シンボルを送信しなければならないスロットは、下記の数式１によって決定される。
［数式１］
（Ｔ−Ｎ−ＲＦＯ） ＭＯＤ ＩＮＴ
【００３８】
ここで、前記Ｔはスロット単位のシステム時間（ｓｙｓｔｅｍ ｔｉｍｅ）を意味し、前記ＩＮＴは絶対値シンボルを伝送する区間（Ｉｎｔｅｒｖａｌ）、前記ＮはＩＮＴ内で絶対値シンボルが伝送されるスロットの位置を決定するパラメータ、ＲＦＯは逆方向フレームオフセットをそれぞれ表す。また、ＭＯＤはモジューロ（ｍｏｄｕｌｏ）演算を意味する。前記数式１では逆方向フレームオフセットを利用したが、端末機別に固有に割り当てられる他のパラメータを利用しても上記の数式１は同一に適用されることができる。
【００３９】
同期式移動通信システムにおいて端末機は基地局のシステム時間に同期されるので端末機と基地局において前記数式１の結果は同一になる。したがって、端末機は前記数式１の結果が‘０’のスロットで絶対値シンボルを伝送し、他のスロットで相対値シンボルを伝送する。基地局もまた、前記数式１により絶対値シンボルが受信されるスロットを検出する。
【００４０】
一方、前記Ｎは、一つの基地局と通信する複数の端末機が絶対値シンボルをＩＮＴ内で交互に伝送するように定められる。このように絶対値シンボルを伝送するスロットを分散させる理由は、比較的高い伝送電力を使用する絶対値シンボルの伝送によって発生する相互干渉を減少させるためである。
【００４１】
図７は、本発明の一実施例によって一つの基地局と通信する複数の端末機が絶対値シンボルを交互に伝送する動作を時間的に示す図である。ここで、絶対値シンボルが伝送される区間（ＩＮＴ）を４スロットとすれば、“ＲＦＯ ｍｏｄ ４（＝Ｎ）”は０、１、２、３のうち一つとなる。ここで、システム時間は全ての端末機において同一となるので考慮しないこととする。こうすると、前記複数の端末機から絶対値シンボルを伝送するスロットは前記Ｎによって時間帯別に分散される。
【００４２】
前記図７において、グループ１はＮが０の端末機を、グループ２はＮが１の端末機を、グループ３はＮが２の端末機を、グループ４はＮが３の端末機をそれぞれ含む。それぞれの端末機に対して割り当てられたＮの値は、呼設定の際に基地局と該当端末機間のネゴシエーション（ｎｅｇｏｔｉａｔｉｏｎ）により決定される。
【００４３】
図８は、本発明の一実施例によって絶対値シンボルの伝送区間が８スロットである場合に端末機から伝送するＣＱＩシンボルを表す図であって、図示のように、絶対値シンボルは８番目のスロットごとに伝送され、他のスロットでは相対値シンボルが伝送される。
【００４４】
以上では端末機がＣＱＩシンボルをチャネル品質指示チャネルの各スロットごとに伝送する場合の動作について説明したが、ＣＱＩシンボルが２スロット、４スロットまたはそれ以上のスロットごとに伝送される場合にも、前述した動作は同一に適用されることができる。例えば、ＣＱＩシンボルが２スロットごとに伝送され、絶対値シンボルを伝送する区間が１６スロットである場合、端末機は１６スロットのうち一つのスロットでは絶対値シンボルを伝送し、他の７個のスロットでは相対値シンボルを伝送する。
【００４５】
一方、本発明によれば、端末機は絶対値シンボルを各スロットごとに伝送するのではなく、あらかじめ定められたスロットだけで伝送する。このため、絶対値シンボルが一度失われると基地局は次の絶対値シンボルが受信されるまで正確な順方向チャネルの搬送波対干渉比が確認できなくなる。これは、絶対値シンボルが相対値シンボルよりも高い伝送信頼性を要求することを意味する。しかし、絶対値シンボルを相対値シンボルより高い伝送電力で伝送することだけではこのような要求を十分に満足させるに足りないこともあり得る。そこで、本発明の他の実施例では絶対値シンボルを少なくとも２個のスロット区間で連続して伝送する。
【００４６】
図９は、本発明の他の実施例によって絶対値シンボルを連続して伝送する動作を示す図である。つまり、端末機はあらかじめ定められる一つの区間（Ｉｎｔｅｒｖａｌ）で絶対値シンボルを２回繰り返し伝送する。
【００４７】
図９を参照すれば、端末機はチャネル品質指示チャネルのｎ番目のスロットとｎ＋１番目のスロットでそれぞれ絶対値シンボルを伝送し、ｎ＋２番目のスロットとｎ＋３番目のスロットでそれぞれ相対値シンボルを伝送する。ここで、前記ｎ番目のスロットで伝送される絶対値シンボルは順方向共通パイロットチャネルのｎ番目のスロットで測定された搬送波対干渉比を表し、前記ｎ＋１番目のスロットで伝送される絶対値シンボルは順方向共通パイロットチャネルのｎ＋１番目のスロットで測定された搬送波対干渉比を表す。この場合も、前記絶対値シンボルは前記相対値シンボルに比べて２倍の伝送電力で伝送される。
【００４８】
図９において、絶対値シンボルが伝送される位置は前述したパラメータＮによって定められるので、端末機には二つのＮ値が割り当てられる。例えば、端末機は“ＲＦＯ ｍｏｄ ４（＝Ｎ）”の値が‘０’または‘１’であるスロットで絶対値シンボルを伝送し、他のスロットで相対値シンボルを伝送する。基地局はｎ番目のスロットとｎ＋１番目のスロットでそれぞれ受信した絶対値シンボルを用いて、順方向共通パイロットチャネルの搬送波対干渉比を計算する。このため、いずれか一つのスロットで絶対値シンボルが失われても基地局は正確に搬送波対干渉比を計算することができる。このように絶対値シンボルを２個のスロットにわたって伝送すると、絶対値シンボルをより信頼性高く伝送することができる。
【００４９】
図１０は、本発明によって絶対値シンボルを２個のスロットにわたって伝送する場合、一つの基地局と通信する複数の端末機が絶対値シンボルを交互に伝送する動作を時間的に示す図である。図示のように、絶対値シンボルを伝送するスロットは時間帯別に分散される。
【００５０】
ＣＱＩシンボルの生成および解析
図１１は、本発明によって端末機から順方向チャネルの品質情報を基地局に送信する第１実施例を示す流れ図である。ここで、後述される過程は、端末機内のＣＱＩシンボル生成器（図３の２１０）によって各タイムスロットごとに繰り返し行われる。
【００５１】
前記図１１を参照すれば、過程４００で端末機は、現在のスロットで順方向共通パイロットチャネルに対して信号強さ、つまり、搬送波対干渉比（Ｃ／Ｉ）を測定する。過程４１０で、前記測定された信号強さは次のスロットで測定された信号強さと比較され得るように格納される。過程４２０で、端末機は、現在のスロットで前記測定された信号強さの絶対値を伝送するか、或いは相対値を伝送するか判断する。ここで、前記判断は、上記の数式１を利用する。すなわち、現在のシステム時間により計算された前記数式１の結果が‘０’であれば絶対値を伝送すると判断し、そうでないと相対値を伝送すると判断する。
【００５２】
前記過程４２０で現在のスロットが絶対値伝送スロットであると判断された場合、端末機は過程４３０で、前記測定された信号強さをあらかじめ格納されたマッピングテーブルに対応させて、前記測定された信号強さのレベルを表す絶対値シンボルを生成する。
【００５３】
一方、前記過程４２０で現在のスロットが相対値伝送スロットであると判断された場合、端末機は過程４５０で、以前のスロットで測定した共通パイロットチャネルの信号強さと現在のスロットで測定した共通パイロットチャネルの信号強さとを比較する。過程４６０で、端末機はあらかじめ格納されたマッピングテーブルを参照して、前記過程４５０の比較結果、現在のスロットで測定した信号強さのレベルが以前のスロットで測定した信号強さのレベルに比べて高いか、同一か、それとも低いか判断する。
【００５４】
もし、現在のスロットの信号強さが以前のスロットの信号強さに比べて高いレベルであれば、過程４７０で端末機は現在のスロットの信号強さが以前のスロットの信号強さより増加したことを示す相対値シンボルを生成する。例えば、増加を示す相対値シンボルの内容は‘１１’である。現在のスロットの信号強さが以前のスロットの信号強さと同一レベルであれば、過程４８０で、端末機は、現在のスロットの信号強さが以前のスロットの信号強さと同一であることを示す相対値シンボルを生成する。例えば、同一を示す相対値シンボルの内容は‘００’である。現在のスロットの信号強さが以前のスロットの信号強さに比べて低いレベルであれば、過程４９０で、端末機は、現在のスロットの信号強さが以前のスロットの信号強さに比べて減少したことを示す相対値シンボルを生成する。例えば、減少を示す相対値シンボルの内容は‘０１’または‘１０’である。前記相対値シンボルのビット数および内容は、それが入力される符号化器の種類によって決定され、その詳細は後述するものとする。
【００５５】
過程４４０で、前記過程４３０、前記過程４７０、前記過程４８０、および前記過程４９０のいずれか一過程で生成されたＣＱＩシンボルは、チャネル品質指示チャネル（ＣＱＩＣＨ）を通じて伝送される。すなわち、前記生成されたＣＱＩシンボルは図３の符号化器２２０に提供され、前述したような手続きを経て基地局に伝送される。
【００５６】
図１２は、本発明によって基地局で端末機から順方向チャネルの品質情報を受信する第１実施例を示す流れ図である。ここで、後述される過程は基地局内のＣＱＩシンボル計算器（図５の３５０）によって各タイムスロットごとに繰り返し行われる。
【００５７】
前記図１２を参照すれば、基地局は、過程５００で現在のスロットのＣＱＩシンボルを受信し、過程５１０で、前記受信したＣＱＩシンボルが絶対値シンボルか、または相対値シンボルか判断する。仮に、現在のスロットが絶対値を伝送するように定められたスロットであれば前記受信したＣＱＩシンボルは絶対値シンボルであり、そうでないと、前記受信したＣＱＩシンボルは相対値シンボルである。ここで、前記判断は、端末機で絶対値を伝送するスロットを決定する規則と同規則を適用する。すなわち、基地局は現在のシステム時間により計算された前記数式１の結果が‘０’であれば絶対値シンボルが受信されたと判断し、そうでないと相対値シンボルが受信されたと判断する。このため、基地局は、端末機と同一の数式１を有する。
【００５８】
前記過程５１０で絶対値シンボルとして判断された場合、過程５２０で、基地局は前記絶対値シンボルをあらかじめ格納されたマッピングテーブルに対応させて順方向共通パイロットチャネルに対して測定された信号強さを計算する。過程５３０で、前記計算された信号強さは相対値シンボルの受信およびパケットデータの伝送時に使われることができるように格納される。
【００５９】
前記過程５１０で相対値シンボルとして判断された場合、過程５５０で、基地局は、前記相対値シンボルが増加を意味するか、同一を意味するか、それとも減少を意味するか判断する。仮に、増加を意味すると、過程５６０で、既に格納された順方向共通パイロットチャネルの信号強さはあらかじめ格納されたマッピングテーブルに応じて１レベル増加するように更新される。一方、減少を意味すると、過程５７０で、既に格納された順方向共通パイロットチャネルの信号強さはあらかじめ格納されたマッピングテーブルに応じて１レベル減少するように更新される。同一を意味すると、既に格納された順方向共通パイロットチャネルの信号強さは変化しない。
【００６０】
以上の過程により順方向共通パイロットチャネルの信号強さが決定されると、過程５４０で基地局は、前記順方向共通パイロットチャネルの信号強さを用いてパケットデータを伝送する。つまり、基地局は前記順方向共通パイロットチャネルの信号強さに基づいてパケットデータの伝送をスケジューリングし、伝送パラメータ（例えば、伝送速度、符号化率、変調方式など）を決定する。
【００６１】
例えば、以前のスロットで絶対値シンボル‘００１０１’が受信され、現在のスロットで増加を示す相対値シンボルが受信された場合、基地局は前記二つの情報に基づいて現在のスロットの信号強さが前記図４の‘００１１０’に該当する−７．４ｄＢであると判断する。一方、以前のスロットで絶対値シンボル‘００１０１’が受信され、現在のスロットで減少を示す相対値シンボルが受信された場合、基地局は前記二つの情報に基づいて現在のスロットの信号強さが前記図４の‘００１００’に該当する−１０．２ｄＢであると判断する。また、以前のスロットで絶対値シンボル‘００１０１’が受信され、現在のスロットで同一を示す相対値シンボルが受信された場合、基地局は前記二つの情報に基づいて現在のスロットの信号強さが前記図４の‘００１０１’に該当する−８．８ｄＢであると判断する。
【００６２】
以上のように絶対値シンボルにより計算されて格納される信号強さは、相対値シンボルが受信される度に更新され、次の絶対値シンボルが受信されるとき新規に計算された信号強さに取り替えられる。
【００６３】
前記図１１および前記図１２において相対値シンボルは、以前のスロットの信号強さと現在のスロットの信号強さの比較結果を三つの状態（増加、同一、減少）で示すので、少なくとも２ビットで構成されなければならない。しかし、相対値シンボルが単に二つの状態（増加、減少）で示されると、一つのビットだけで構成可能である。この場合、相対値シンボルを伝送するのに必要な電力が節減される。また、前記図１１および図１２において相対値シンボルは、以前のスロットの信号強さと現在のスロットの信号強さをあらかじめ格納されたマッピングテーブルに対応させてレベル単位に比較した結果を示すが、あらかじめ設定された所定の単位、例えば１ｄＢ単位に比較した結果を示すこともできる。これによれば、相対値シンボルを用いて信号強さをより正確に表すことができる。
【００６４】
図１３は、本発明によって端末機から順方向チャネルの品質情報を基地局に送信する第２実施例を示す流れ図である。ここで、後述される過程は、端末機内のＣＱＩシンボル生成器（図３の２１０）によって各タイムスロットごとに繰り返し行われる。
【００６５】
前記図１３を参照すれば、過程６００で、端末機は現在のスロットで順方向共通パイロットチャネルに対して信号強さ、つまり、搬送波対干渉比（Ｃ／Ｉ）を測定する。過程６１０で、前記測定された信号強さは次のスロットで測定された信号強さと比較され得るように格納される。過程６２０で端末機は、現在のスロットで前記測定された信号強さの絶対値を伝送するか否か判断する。仮に、現在のスロットが絶対値を伝送するように定められたスロットであれば絶対値を伝送すると判断し、そうでないと、相対値を伝送すると判断する。ここで、前記判断は、上記の数式１を利用する。つまり、現在のシステム時間により計算された前記数式１の結果が‘０’であれば絶対値を伝送すると判断し、そうでないと相対値を伝送すると判断する。
【００６６】
前記過程６２０で現在のスロットが絶対値伝送スロットであると判断された場合、端末機は過程６３０で、前記測定された信号強さをあらかじめ格納されたマッピングテーブルに対応させて、前記測定された信号強さのレベルを表す絶対値シンボルを生成する。
【００６７】
一方、前記過程６２０で現在のスロットが相対値伝送スロットであると判断された場合、端末機は過程６５０で、以前のスロットで測定した共通パイロットチャネルの信号強さと現在のスロットで測定した共通パイロットチャネルの信号強さを比較する。過程６６０で、端末機は前記過程６５０での比較結果、現在のスロットの信号強さが以前のスロットの信号強さに比べて小さいか判断する。
【００６８】
もし、現在のスロットの信号強さが以前のスロットの信号強さに比べて大きいか等しい場合、過程６７０で端末機は、現在のスロットの信号強さが以前のスロットの信号強さに比べて増加したこと示す相対値シンボルを生成する。例えば、増加を示す相対値シンボルの内容は‘１’である。一方、現在のスロットの信号強さが以前のスロットの信号強さに比べて低いレベルであれば、過程６８０で、端末機は、現在のスロットの信号強さが以前のスロットの信号強さに比べて減少したことを示す相対値シンボルを生成する。例えば、減少を示す相対値シンボルの内容は‘０’である。前記相対値シンボルのビット数および内容は、それが入力される符号化器の種類によって決定され、その詳細は後述するものとする
【００６９】
過程６４０で、前記過程６３０、前記過程６７０、前記過程６８０のうちいずれか一過程で生成されたＣＱＩシンボルはチャネル品質指示チャネル（ＣＱＩＣＨ）を通じて伝送される。すなわち、前記生成されたＣＱＩシンボルは図３の符号化器２２０に提供され、前述したような手続きを経て基地局に伝送される。
【００７０】
図１４は、本発明によって基地局で端末機から順方向チャネルの品質情報を受信する第２実施例を示す流れ図である。ここで、後述される過程は、基地局内のＣＱＩシンボル計算器（図５の３５０）によって各タイムスロットごとに繰り返し行われる。
【００７１】
前記図１４を参照すれば、基地局は過程７００で、現在のスロットのＣＱＩシンボルを受信し、過程７１０で、前記受信したＣＱＩシンボルが絶対値シンボルか、或いは相対値シンボルか判断する。もし、現在のスロットが絶対値を伝送するように定められたスロットなら前記受信したＣＱＩシンボルは絶対値シンボルであり、そうでないと、前記受信したＣＱＩシンボルは相対値シンボルである。ここで、前記判断は、端末機で絶対値を伝送するスロットを決定する規則と同規則を利用する。すなわち、基地局は現在のシステム時間により計算された前記数式１の結果が‘０’であれば絶対値シンボルが受信されたと判断し、そうでないと相対値シンボルが受信されたと判断する。このため、基地局は、端末機と同一の数式１を有する。
【００７２】
前記過程７１０で絶対値シンボルとして判断された場合、過程７２０で、基地局は、前記絶対値シンボルをあらかじめ格納されたマッピングテーブルに対応させて順方向共通パイロットチャネルに対して測定された信号強さを計算する。過程７３０で、前記計算された信号強さは相対値シンボルの受信およびパケットデータの伝送時に使用され得るように格納される。
【００７３】
前記過程７１０で相対値シンボルとして判断された場合、過程７５０で、基地局は、前記相対値シンボルが増加を意味するか、あるいは減少を意味するか判断する。もし、増加を意味すると、過程７６０で、既に格納された順方向共通パイロットチャネルの信号強さはあらかじめ定められる所定単位ほど増加するように更新される。一方、減少を意味すると、過程７７０で、既に格納された順方向共通パイロットチャネルの信号強さは前記所定単位ほど減少するように更新される。ここで、前記所定単位は、例えば１ｄＢに定められることができる。
【００７４】
以上の過程により順方向共通パイロットチャネルの信号強さが決定されると、過程７４０で、基地局は、前記順方向共通パイロットチャネルの信号強さを利用してパケットデータを伝送する。つまり、基地局は前記順方向共通パイロットチャネルの信号強さに基づいてパケットデータの伝送をスケジューリングし、伝送パラメータを決定する。
【００７５】
例えば、以前のスロットで絶対値シンボル‘００１０１’が受信され、現在のスロットで増加を示す相対値シンボルが受信された場合、基地局は前記二つの情報に基づいて現在のスロットの信号強さが以前のスロットの−８．８ｄＢから１ｄＢ増加した−７．８ ｄＢであると判断する。また、以前のスロットで絶対値シンボル‘００１０１’が受信され、現在のスロットで減少を示す相対値シンボルが受信された場合、基地局は前記二つの情報に基づいて現在のスロットの信号強さが以前のスロットの−８．８ｄＢから１ｄＢ減少した−９．８ｄＢであると判断する。
【００７６】
前記図１４に示した第２実施例によれば、基地局は、端末機から受信した絶対値シンボルを利用して順方向共通パイロットチャネルの信号強さを計算した後、次の絶対値シンボルが受信されるまで、端末機から受信した相対値シンボルにより前記順方向共通パイロットチャネルの信号強さを所定単位ほど増加または減少させることによって各スロットの信号強さを推定する。この場合、基地局で推定した信号強さは端末機で実際に測定した信号強さと異なることもある。
【００７７】
したがって、後述される図１５に示した第３実施例では、端末機が相対値シンボルを生成するとき以前のスロットで実際に測定した信号強さを利用する代わりに、以前のスロットで推定した信号強さを利用する。このため、端末機は、各スロットごとに基地局で信号強さを推定するときに使用するアルゴリズムと同一のアルゴリズムに基づいて順方向チャネルの信号強さを推定し、それを格納する。前記格納された信号強さ推定値は、次のスロットで測定された信号強さと比較されて相対値シンボルを生成するときに利用される。
【００７８】
図１５は、本発明によって端末機から測定した順方向チャネルの品質情報を基地局に伝送する第３実施例を示す流れ図である。
【００７９】
前記図１５を参照すれば、過程８００で、端末機は、現在のスロットで順方向共通パイロットチャネルに対して信号強さ、つまり、搬送波対干渉比（Ｃ／Ｉ）を測定する。過程８１０で端末機は、現在のスロットで前記測定された信号強さの絶対値を伝送するか、あるいは相対値を伝送するか判断する。ここで、前記判断は、上記の数式１を利用する。つまり、現在のシステム時間により計算された前記数式１の結果が‘０’であれば絶対値を伝送すると判断し、そうでないと相対値を伝送すると判断する。
【００８０】
前記過程８２０で、現在のスロットが絶対値伝送スロットであると判断された場合、過程８１０で前記測定された信号強さは次のスロットのＣＱＩシンボルを生成するときに利用され得るように格納される。その後、端末機は、過程８３０で、前記測定された信号強さをあらかじめ格納されたマッピングテーブルに対応させて、前記測定された信号強さのレベルを表す絶対値シンボルを生成する。
【００８１】
一方、前記過程８１０で現在のスロットが相対値伝送スロットであると判断された場合、端末機は過程８５０で既に格納された共通パイロットチャネルの信号強さと現在のスロットで測定した共通パイロットチャネルの信号強さを比較する。ここで、前記既に格納された信号強さは、以前のスロットで絶対値シンボルが伝送された場合、前記絶対値シンボルに対応する信号強さであり、以前のスロットで相対値シンボルが伝送された場合、前記相対値シンボルにより更新された信号強さである。
【００８２】
過程８６０で、端末機は、前記過程８５０での比較結果、現在のスロットで測定した信号強さが前記既に格納された信号強さに比べて小さいか判断する。もし、小さくないと、過程８７０で、端末機は、現在のスロットの信号強さが以前のスロットの推定された信号強さより増加したことを示す相対値シンボルを生成し、次いで、過程８７５で、前記既に格納された信号強さはあらかじめ定められる所定単位ほど増加するように更新される。一方、現在のスロットで測定した信号強さが前記既に格納された信号強さに比べて小さいと、過程８８０で、端末機は、現在のスロットの信号強さが以前のスロットの推定された信号強さより減少したことを示す相対値シンボルを生成し、次いで、過程８８５で、前記既に格納された信号強さはあらかじめ定められる所定単位ほど減少するように更新される。ここで、前記所定単位は、基地局と端末機間にあらかじめ約束され、例えば、１ｄＢに定められることができる。また、前記相対値シンボルのビット数および内容は、それが入力される符号化器の種類によって決定され、その詳細は後述するものとする。
【００８３】
過程８４０で、前記過程８３０、前記過程８７０、前記過程８８０のうちいずれか一過程で生成されたＣＱＩシンボルは、チャネル品質指示チャネル（ＣＱＩＣＨ）を通じて伝送される。すなわち、前記生成されたＣＱＩシンボルは、図３の符号化器２２０に提供され、前述したような手続きを経て基地局に伝送される。
【００８４】
前記図１５に対応するＣＱＩシンボルの受信動作は、図１４におけると同様な方法で行われるので、その詳細な説明は省略するものとする。但し、ここで、端末機と基地局において既に格納された信号強さを更新する所定単位は互いに一致しなくてはならない。
【００８５】
前記図１５に示した第３実施例によれば、端末機が測定した信号強さと基地局が計算した信号強さ間の相違を最小限に抑えることができる。仮に、ｎ−１番目のスロットとｎ番目のスロットでいずれも相対値シンボルが伝送されるとすれば、ｎ番目のスロットで伝送される相対値シンボルは、端末機がｎ番目のスロットで測定した信号強さとｎ−１番目のスロットで測定した信号強さを比較した結果を表す。しかし、基地局がｎ−１番目のスロットで計算した信号強さが、前記端末機がｎ−１番目のスロットで測定した信号強さと異なると、前記基地局がｎ番目のスロットで計算した信号強さも前記端末機がｎ番目のスロットで測定した信号強さと異なってくる。
【００８６】
以下、具体的な例に上げて前記図１３に示した第２実施例と前記図１５に示した第３実施例とを比較する。ここで、スロットｎ、スロットｎ＋１、スロットｎ＋２、スロットｎ＋３で端末機が測定した順方向共通パイロットチャネルの信号強さをそれぞれ１ｄＢ、１．１ｄＢ、１．２ｄＢ、１．３ｄＢとし、スロットｎで絶対値シンボルが伝送された後、スロットｎ＋１、スロットｎ＋２、スロットｎ＋３でそれぞれ相対値シンボルが伝送されるとする。
【００８７】
前記第２実施例では、スロットｎで１ｄＢを示す絶対値シンボルが伝送された後、スロットｎ＋１、スロットｎ＋２、スロットｎ＋３でそれぞれ増加を示す相対値シンボルが伝送される。すると、基地局はスロットｎ＋１、スロットｎ＋２、スロットｎ＋３で順方向共通パイロットチャネルの信号強さをそれぞれ２（＝１＋１）ｄＢ、３（＝２＋１）ｄＢ、４（＝３＋１）ｄＢと算出する。これを下記の＜表１＞に示す。
【表１】
2004522387.tif 000003
【００８８】
前記＜表１＞を参照すれば、時間の経過につれて信号強さの差が次第に大きくなり、スロットｎ＋３では２．７ｄＢといった極めて大きい差が出ることがわかる。
【００８９】
前記第３実施例では、スロットｎで１ｄＢを表す絶対値シンボルが伝送された後、スロットｎ＋１では増加を示す相対値シンボルが伝送され、端末機と基地局は順方向共通パイロットチャネルの信号強さを２ｄＢと算出する。スロットｎ＋２で端末機は信号強さ測定値１．２ｄＢを前記算出した２ｄＢと比較し、減少を示す相対値シンボルを伝送し、端末機と基地局は順方向共通パイロットチャネルの信号強さを１ｄＢに算出する。スロットｎ＋３で端末機は信号強さ測定値１．３ｄＢを前記算出した１ｄＢと比較し、増加を示す相対値シンボルを伝送し、端末機と基地局は順方向共通パイロットチャネルの信号強さを２ｄＢと算出する。これを下記の＜表２＞に示す。
【表２】
2004522387.tif 000004
【００９０】
前記＜表２＞を参照すれば、スロットｎ＋３で０．７ｄＢといった比較的少ない差が出たことがわかる。
【００９１】
ＣＱＩシンボルの符号化
絶対値シンボルは、端末機で測定された順方向共通パイロットチャネルの信号強さを複数のレベルで表現するが、相対値シンボルはこれを単に二つ（または、三つ）の状態で表現すればいい。これは、絶対値シンボルの伝送時に比べて相対値シンボルの伝送時に伝送する情報量が減少するということを意味する。こういった点に着目すると、相対値シンボルを符号化する符号化器のブロックコード特性を改善することができる。
【００９２】
以下では、相対値シンボルを伝送するときブロック符号性能を改善しながら相対値シンボルを符号化する三つの実施例を開示する。
【００９３】
相対値シンボルを符号化する実施例を説明するに先立ち、図１６に、符号化器に入力されるＣＱＩシンボルと符号化器から出力される符号化シーケンスの一例を示す。ここで、符号化器は、周知のブロックコード化手法により５／１２の符号化率を持つものとする。前記図１６に示すように、符号化器は、５ビットのＣＱＩシンボル（ａ４、ａ３、ａ２、ａ１、ａ０）を入力として１２ビットの符号化シーケンスを出力する。下記では、本発明によって相対値シンボルを符号化する実施例を、前記図１６のような入・出力特性を有する符号化器に適用する例を上げて説明するが、その他の符号化率を持つ符号化器をやや変形して適用してもいい。
【００９４】
本発明によって相対値シンボルを符号化する第１実施例では、相対値シンボルは絶対値シンボルと同じビット数を持つ。これは、相対値シンボルと絶対値シンボルを同一の符号化器を用いて符号化するためである。この場合、相対値情報の意味（増加または減少）に応じて符号化器から出力される符号化シーケンスどうしの差を最大にする符号化器入力シンボルが相対値シンボルとして使用される。
【００９５】
５／１２の符号化率を持つ符号化器で相対値シンボルを符号化する場合、前記符号化器は、入力される相対値シンボルの意味（増加または減少）に応じて符号化シーケンスとして‘００００００００００００’と‘１１１１１１１１１１１１’を出力する。これは、前記符号化シーケンスどうしの差か最も大きいので、復号に際してその意味の区分が容易となるためである。前記図１６を参照すれば、前記符号化シーケンスを出力するために前記符号化器に入力される相対値シンボルには‘０００００’と‘１００００’が使用される。
【００９６】
この時、前記‘０００００’は、現在のスロットで測定された順方向共通パイロットチャネルの信号強さが以前のスロットより大きいか等しい、つまり、増加を意味し、前記‘１００００’は、現在のスロットで測定された順方向共通パイロットチャネルの信号強さが以前のスロットより小さい、つまり、減少を意味する。また、前記‘０００００’は、現在のスロットで測定された順方向共通パイロットチャネルの信号強さが以前のスロットより小さい、つまり、減少を意味し、前記‘１００００’は、現在のスロットで測定された順方向共通パイロットチャネルの信号強さが以前のスロットより大きいか等しい、つまり増加を意味することもできる。このような意味設定は端末機と基地局間にあらかじめ約束されていなければならない。
【００９７】
上述した相対値の二つの意味に応じて５／１２の符号化率を持つ符号化器の入力として使われる相対値シンボルを、下記の＜表３＞に示す。
【表３】
2004522387.tif 000005
【００９８】
前記＜表３＞において、前記相対値情報に対応する入力シンボルの意味は、基地局と端末機間のネゴシエーションにより相互変わることができ、重要なのは、相対値シンボルの伝送のさい符号化シーケンスとして‘００００００００００００’と‘１１１１１１１１１１１’が利用されるということである。
【００９９】
上記の＜表３＞は、５ビットのＣＱＩシンボル（ａ４、ａ３、ａ２、ａ１、ａ０）の最上位ビットａ４が異なる用途に使用されない場合を考慮したものである。したがって、前記最上位ビットａ４が異なる用途に使用される場合には、相対値情報の二つの意味に応じて５／１２の符号化率を持つ符号化器の入力として使用される相対値シンボルは、下記の＜表４＞のように定められる。
【表４】
2004522387.tif 000006
【０１００】
前記＜表４＞に表すように、最上位ビットａ４が異なる用途のために使用される場合、５ビット入力シンボルは、相対値情報および前記異なる用途の意味をすべて含む。前記＜表４＞で入力シンボルとして‘００００００’、‘００１０００’、‘０１００００’、‘０１１００’を利用するのは、該当する符号化シーケンス間の差が大きいことから、復号化性能を最適化できるためである。前記入力ＣＱＩ情報の意味は、既に言及した通り、基地局と移動端末機のネゴシエーションにより相互変わることができ、重要なのは、相対値シンボルの伝送に際して符号化シーケンスとして‘００００００００００００’、‘０１１１００００１１１１’、‘００００１１１１１１１１’、‘０１１１１１１１００００’が利用されるということである。
【０１０１】
上記の図３を参照して、本発明によって５／１２の符号化率を持つ符号化器を用いて絶対値シンボルおよび相対値シンボルを符号化する動作について述べる。つまり、図３の符号化器２２０は５／１２の符号化率を持つ。
【０１０２】
前記図３を参照すれば、ＣＱＩシンボル生成器２１０は、現在のスロットで測定された順方向共通パイロットチャネルの信号強さを受信し、現在のスロットで相対値シンボルを送信するか、または絶対値シンボルを送信するか決定する。すなわち、現在のスロットが相対値シンボル伝送スロットか、あるいは絶対値シンボル伝送スロットか判断する。ここで、前記判断は、上記の数式１を利用する。すなわち、現在のシステム時間により計算された前記数式１の結果が‘０’であれば絶対値伝送スロットとして判断し、そうでないと相対値伝送スロットとして判断する。
【０１０３】
前記判断結果に基づいて、前記ＣＱＩシンボル生成器２１０は前記現在のスロットの信号強さを表す絶対値シンボルを生成するか、あるいは、前記現在のスロットの信号強さを以前のスロットの信号強さと比較した結果を表す相対値を生成する。
【０１０４】
ここで、前記相対値シンボルは、現在のスロットの信号強さが以前のスロットの信号強さに比べて大きいか等しい場合と、小さい場合を表してもよく、或いは、現在のスロットの信号強さが以前のスロットの信号強さに比べて大きい場合、同一の場合、小さい場合を表してもいい。このように前記相対値シンボルは二つの状態または三つの状態を表す。また、前記最上位ビットａ４が異なる用途に使われる場合、前記相対値シンボルは前記最上位ビットａ４の意味を含まなければならない。
【０１０５】
絶対値シンボル伝送スロットの場合、前記ＣＱＩシンボル生成器２１０は、前記現在のスロットの信号強さを表す５ビットの絶対値シンボルを５／１２の符号化率を持つ符号化器２２０に出力する。
【０１０６】
相対値シンボル伝送スロットであり、最上位ビットａ４が異なる用途に使用されない場合、前記ＣＱＩシンボル生成器２１０は、前記＜表３＞に表した５ビットＣＱＩシンボル（‘０００００’、‘１００００’）のうち該当するＣＱＩシンボルを前記符号化器２２０に出力する。仮に、前記現在のスロットの信号強さが前記以前のスロットの信号強さに比べて大きいか等しいと増加を意味するＣＱＩシンボル‘０００００’が出力され、前記現在のスロットの信号強さが前記以前のスロットの信号強さより小さいと減少を意味するＣＱＩシンボル‘１００００’が出力される。
【０１０７】
相対値シンボル伝送スロットであり、最上位ビットａ４が異なる用途に使用される場合、前記ＣＱＩシンボル生成器２１０は、前記＜表４＞に表した５ビットＣＱＩシンボル（‘０００００’、‘００１００’、‘０１０００’‘０１１００’）のうち該当するＣＱＩシンボルを前記符号化器２２０に出力する。仮に、前記現在のスロットの信号強さが前記以前のスロットの信号強さに比べて大きいか等しいと増加を意味するＣＱＩシンボル‘０００００’または‘０１０００’が出力され、前記現在のスロットの信号強さが前記以前のスロットの信号強さより小さいと減少を意味するＣＱＩシンボル‘００１００’または‘０１１００’が出力される。
【０１０８】
前記符号化器２２０は、前記ＣＱＩシンボル生成器２１０から出力されたＣＱＩシンボルを前記図１６に表したマッピング規則に基づいて該当するバイナリ符号化シーケンスにマッピングして出力する。前記バイナリ符号化シーケンスは、前記図３のウォルシュカバー２４０に提供され、その後、変調過程などを経て基地局に伝送される。
【０１０９】
前記基地局はチャネル品質指示チャネルを通じて移動端末機からＣＱＩシンボルを受信して解析する。前記受信されたＣＱＩシンボルが相対値シンボルであり、最上位ビットａ４が異なる用途に使用されていないと、基地局は前記受信された相対値シンボルを前記＜表３＞に対応させて解析する。一方、前記受信されたＣＱＩシンボルが相対値シンボルであり、最上位ビットａ４が異なる用途に使用されていると、基地局は、前記受信された相対値シンボルを前記＜表４＞に対応させて解析する。ここで、前記基地局が前記受信されたＣＱＩシンボルを解析する過程は、前述の図１２または図１４による。
【０１１０】
本発明によって相対値シンボルを符号化する第２実施例では、絶対値シンボルと異なるビット数を持つ相対値シンボルの伝送のために、異なる符号化率を持つ２個の符号化器を利用する。この場合、絶対値シンボルは５／１２の符号化率を持つ符号化器により符号化され、相対値シンボルはｎ／１２（ここで、ｎは５でない）の符号化率を持つ符号化器により符号化される。
【０１１１】
例えば、相対値シンボルのためには１／１２の符号化率を持つ符号化器が使用される。前記符号化器は入力される１ビットの相対値シンボルにより１２ビットの符号化シーケンス‘００００００００００００’と‘１１１１１１１１１１１１’を出力する。上記の相対値情報の二つの意味（増加または減少）に応じて１／１２の符号化率を持つ符号化器の入力シンボルおよび出力符号化シーケンス間の関係を、下記の＜表５＞に示す。
【表５】
2004522387.tif 000007
【０１１２】
一方、最上位ビットａ４が異なる用途に使用される場合、相対値シンボルのためには２／１２の符号化率を持つ符号化器が使用されなければならなく、前記符号化器は既に言及した＜表４＞に示した入出力特性を有する。
【０１１３】
図１７は、本発明によって絶対値シンボルと相対値シンボルをそれぞれ別の符号化器を使用して符号化する装置を示す図である。前記図１７では、図３のシンボル生成器２１０と符号化器２２０がさらに具体的に示されている。前記図１７では、前記図３と違い、絶対値シンボルと相対値シンボルをそれぞれ符号化するために、相異なる符号化率を持つ２個の符号化器９２０、９３０が使用された。ここで、符号化器９２０は５／１２の符号率を有するが、この符号率は絶対値シンボルが何ビットかによって可変される。
【０１１４】
前記図１７を参照すれば、ＣＱＩシンボル生成器９１０は、現在のスロットで測定された順方向共通パイロットチャネルの信号強さを受信し、現在のスロットで絶対値シンボルを送信するか、または相対値シンボルを送信するか決定する。すなわち、現在のスロットが相対値シンボル伝送スロットか、それとも絶対値シンボル伝送スロットか判断する。ここで、前記判断は、上記の数式１を利用する。すなわち、現在のシステム時間により計算された前記数式１の結果が‘０’であれば絶対値伝送スロットとして判断し、そうでないと相対値伝送スロットとして判断する。
【０１１５】
前記判断結果に基づいて、前記ＣＱＩシンボル生成器９１０は、前記現在のスロットの信号強さを表す絶対値シンボルを生成するか、または前記現在のスロットの信号強さを以前のスロットの信号強さと比較した結果を表す相対値シンボルを生成する。
【０１１６】
ここで、前記相対値シンボルは現在のスロットの信号強さが以前のスロットの信号強さに比べて大きいか等しい場合と、小さい場合を表してもよく、あるいは、現在のスロットの信号強さが以前のスロットの信号強さに比べて大きい場合、同一の場合、小さい場合を表してもいい。このように前記相対値シンボルは二つの状態または三つの状態を表す任意のｎビット（ここで、ｎは５でない）となる。また、前記最上位ビットａ４が異なる用途に使われる場合、前記相対値シンボルは前記最上位ビットａ４の意味を含まなければならない。
【０１１７】
現在のスロットが絶対値シンボル伝送スロットの場合、前記ＣＱＩシンボル生成器９１０は前記現在のスロットの信号強さを表す５ビットの絶対値シンボルを５／１２の符号化率を持つ第１符号化器９２０に出力する。
【０１１８】
相対値シンボル伝送スロットの場合、前記ＣＱＩシンボル生成器９１０は、ｎビット（１ビットまたは２ビット）の相対値シンボルを生成してｎ／１２の符号化率を持つ第２符号化器９３０に出力する。ここで、前記相対値シンボルが１ビットの場合、前記第２符号化器９３０の符号化率は１／１２であり、前記相対値シンボルが２ビットの場合、前記第２符号化器９３０の符号化率は２／１２である。
【０１１９】
相対値伝送スロットで最上位ビットａ４が異なる用途に使用されない場合、前記ＣＱＩシンボル生成器９１０は前記＜表５＞に表した１ビットＣＱＩシンボル（‘０’、‘１’）のうち該当するＣＱＩシンボルを１／１２の符号化率を有する前記第２符号化器９３０に出力する。仮に、前記現在のスロットの信号強さが前記以前のスロットの信号強さに比べて大きいか等しいと増加を意味するＣＱＩシンボル‘０’が出力され、前記現在のスロットの信号強さが前記以前のスロットの信号強さより小さいと減少を意味するＣＱＩシンボル‘１’が出力される。
【０１２０】
相対値伝送スロットで最上位ビットａ４が異なる用途に使用される場合、前記ＣＱＩシンボル生成器９１０は前記＜表４＞に表した２ビットＣＱＩシンボル（‘００’、‘１０’、‘０１’、‘１１’）のうち該当する ＣＱＩシンボルを２／１２の符号化率を有する前記符号化器９３０に出力する。仮に、前記現在のスロットの信号強さが前記以前のスロットの信号強さに比べて大きいか等しいと増加を意味するＣＱＩシンボル‘００’または‘０１’が出力され、前記現在のスロットの信号強さが前記以前のスロットの信号強さより小さいと減少を意味するＣＱＩシンボル‘１０’または‘１１’が出力される。
【０１２１】
前記第２符号化器９３０は、前記ＣＱＩシンボル生成器９１０から出力されたｎビットの相対値シンボルを受信して前記図１６に表したマッピング規則に基づいて該当するバイナリ符号化シーケンスにマッピングして出力する。また、前記第１符号化器９２０は前記ＣＱＩシンボル生成器９１０から出力された絶対値シンボルを前記図１６に表したマッピング規則に基づいて該当するバイナリ符号化シーケンスを出力する。前記バイナリ符号化シーケンスは前記図３のウォルシュカバー２４０に提供され、その後、変調過程などを経て基地局に伝送される。
【０１２２】
一方、前記図１７に示すように、端末機では絶対値シンボルのための符号化器と相対値シンボルのための符号化器が異なっているが、基地局ではＣＱＩシンボルを復号するときに使用する符号器を単一のものを使用することができる。これは、絶対値シンボルや相対値シンボルによらずそれに対応して出力される符号化シーケンスのビット数が同一なためである。上記の図５を参照すれば、符号器３４０は、１２ビット符号化シーケンスを入力として５ビットＣＱＩシンボルを出力する。仮に、現在のスロットが絶対値伝送スロットなら前記ＣＱＩシンボルは信号強さのレベルを表し、現在のスロットが相対値伝送スロットなら前記ＣＱＩシンボルは増加または減少を表す。したがって、ＣＱＩシンボル計算器３５０は現在のスロットが絶対値伝送スロットか、あるいは相対値伝送スロットかによって前記ＣＱＩシンボルを解析する。
【０１２３】
前記受信されたＣＱＩシンボルが相対値シンボルであり、最上位ビットａ４が異なる用途に使用されていないと、前記ＣＱＩシンボル計算器３５０は、前記受信された相対値シンボルを前記＜表５＞に対応させて解析する。一方、前記受信されたＣＱＩシンボルが相対値シンボルであり、最上位ビットａ４が異なる用途に使用されていると、前記ＣＱＩシンボル計算器３５０は前記受信されたＣＱＩシンボルを前記＜表４＞に対応させて解析する。ここで、前記受信されたＣＱＩシンボルを解析する過程は、上記の図１２または図１４による。
【０１２４】
本発明によって相対値シンボルを符号化する第３実施例では、相対値シンボルと絶対値シンボルを同一の符号化率を持つ符号化器を使用して符号化し、相対値シンボル伝送のさい前記符号化器に入力される特定ビットをオフ（ｏｆｆ）状態に設定する。ここで、オフ（ｏｆｆ）状態に設定する理由は、符号化器の入力端に一切の信号も入力させないことによって、該当入力端が符号化シーケンスの生成に何の影響も及ぼさないようにするためである。このように相対値シンボルを伝送する場合、５／１２の符号化率を持つ符号化器の入力シンボルおよび出力符号化シーケンス間の関係を、下記の＜表６＞に示す。
【表６】
2004522387.tif 000008
【０１２５】
前記＜表６＞は最上位ビットａ４が使用されない場合、相対値シンボルの意味（増加または減少）を示すものである。すなわち、相対値シンボルの意味は、５ビットＣＱＩシンボルのうち最上位ビットａ４を用いて表示する。
【０１２６】
一方、最上位ビットａ４が異なる用途に使用される場合、５／１２の符号化率を持つ符号化器の入力シンボルおよび出力符号化シーケンス間の関係を、下記の＜表７＞に示す。
【表７】
2004522387.tif 000009
【０１２７】
前記＜表７＞において、５ビット入力ＣＱＩシンボルのａ３は、相対値シンボルの意味（増加または減少）を表し、ａ２は異なる用途の意味を表す。前記＜表６＞および前記＜表７＞のような入力ＣＱＩシンボルを使用するのは、対応する出力符号化シーケンス間の差を最大化するためである。これは、復号性能を最適化するためである。
【０１２８】
ここで、前記＜表６＞および＜表７＞に表した入力ＣＱＩシンボル（ａ４、ａ３、ａ２、ａ１、ａ０）マッピング関係およびその意味は、基地局と端末機間のネゴシエーションによりあらかじめ約束されている。
【０１２９】
一方、本発明の詳細な説明では具体的な実施例に上げて説明したが、本発明の範囲を外れない限度内でさまざまな変形が可能なことはいうまでもない。したがって、本発明の範囲は、前述の実施例に限定されることなく、特許請求の範囲とそれに均等なものによって定められるべきである。
【０１３０】
【発明の効果】
以上の如く、本発明によれば、順方向チャネルの品質指示情報を伝送するにあたり、あらかじめ定められた少なくとも一つのスロットでは絶対値シンボルを伝送し、他のスロットでは相対値シンボルを伝送することによって、逆方向リンクで発生するオーバーヘッドと干渉を減少させることができ、これにより、逆方向トラフィック容量を増加させることができる。また、本発明は、符号化シンボルに比べて相対的に少ない情報量を伝達する相対値シンボルを符号化する方法を提供することによって復号性能を最適化する。
【図面の簡単な説明】
【図１】従来技術によって端末機が測定した順方向チャネルの品質情報を基地局に送信する送信器構造を示す図。
【図２】従来技術によって順方向チャネルの品質情報を送受信する基地局と端末機の動作を時間的に示す図。
【図３】本発明の一実施例によって端末機が測定した順方向チャネルの品質情報を基地局に送信する送信器構造を示す図。
【図４】順方向共通パイロットチャネルに対して測定された搬送波対干渉比のレベルとそれにマッピングされる絶対値シンボルを格納するマッピングテーブルの例を示す図。
【図５】本発明の一実施例によって端末機で測定した順方向チャネルの品質情報を基地局で受信する受信器構造を示す図。
【図６】本発明の一実施例によって絶対値シンボルの伝送区間（ｉｎｔｅｒｖａｌ）が４スロットである場合、順方向チャネルの品質情報を送受信する基地局と端末機の動作を時間的に示す図。
【図７】本発明の一実施例によって一つの基地局と通信する複数の端末機が絶対値シンボルを交互に伝送する動作を時間的に示す図。
【図８】本発明の一実施例によって絶対値シンボルの伝送区間が８スロットである場合、端末機から伝送するＣＱＩシンボルを示す図。
【図９】本発明の他の実施例によって絶対値シンボルを繰り返し伝送する動作を示す図。
【図１０】本発明によって絶対値シンボルを二つのスロットにわたって伝送する場合、一つの基地局と通信する複数の端末機が絶対値シンボルを交互に伝送する動作を時間的に示す図。
【図１１】本発明によって端末機から順方向チャネルの品質情報を基地局に送信する第１実施例を示す流れ図。
【図１２】本発明によって基地局で端末機から順方向チャネルの品質情報を受信する第１実施例を示す流れ図。
【図１３】本発明によって端末機から順方向チャネルの品質情報を基地局に送信する第２実施例を示す流れ図。
【図１４】本発明によって基地局で端末機から順方向チャネルの品質情報を受信する第２実施例を示す流れ図。
【図１５】本発明によって端末機が測定した順方向チャネルの品質情報を基地局に伝送する第３実施例を示す流れ図。
【図１６】５／１２の符号化率を持つ符号化器に入力されるＣＱＩシンボルと符号化器から出力される符号化シーケンスの一例を示す図。
【図１７】本発明によって絶対値シンボルと相対値シンボルをそれぞれ別の符号化器を使用して符号化する装置の構造を示す図。
【符号の説明】
２１０  ＣＱＩシンボル生成器
２２０  符号化器
２３０  ウォルシュカバーコード発生器
２４０  ウォルシュカバー
２５０  信号点変換器
２６０  ウォルシュ拡散器
【国際公開パンフレット】
2004522387.tif 000010
2004522387.tif 000011
2004522387.tif 000012
2004522387.tif 000013
2004522387.tif 000014
2004522387.tif 000015
2004522387.tif 000016
2004522387.tif 000017
2004522387.tif 000018
2004522387.tif 000019
2004522387.tif 000020
2004522387.tif 000021
2004522387.tif 000022
2004522387.tif 000023
2004522387.tif 000024
2004522387.tif 000025
2004522387.tif 000026
2004522387.tif 000027
2004522387.tif 000028
2004522387.tif 000029
2004522387.tif 000030
2004522387.tif 000031
2004522387.tif 000032
2004522387.tif 000033
2004522387.tif 000034
2004522387.tif 000035
2004522387.tif 000036
2004522387.tif 000037
2004522387.tif 000038
2004522387.tif 000039
2004522387.tif 000040
2004522387.tif 000041
2004522387.tif 000042
2004522387.tif 000043
2004522387.tif 000044
2004522387.tif 000045
2004522387.tif 000046
2004522387.tif 000047
2004522387.tif 000048
2004522387.tif 000049
2004522387.tif 000050
2004522387.tif 000051
2004522387.tif 000052
2004522387.tif 000053
2004522387.tif 000054
2004522387.tif 000055
2004522387.tif 000056
2004522387.tif 000057
2004522387.tif 000058
2004522387.tif 000059
2004522387.tif 000060
2004522387.tif 000061
2004522387.tif 000062
2004522387.tif 000063
2004522387.tif 000064
2004522387.tif 000065
2004522387.tif 000066
2004522387.tif 000067
【国際調査報告】
2004522387.tif 000068
2004522387.tif 000069